【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
物体側より順に、負の屈折力を有する第１レンズ群と、正の屈折力を有する第２レンズ群と、正の屈折力を有する第３レンズ群よりなり、無限遠物点合焦時における広角端から望遠端への変倍に際して、各レンズ群の間隔を変化させつつ、前記第２レンズ群が物体側へのみ移動し、かつ、前記第３レンズ群は第２レンズ群とは異なる軌跡で移動するズームレンズにおいて、
前記第２レンズ群は、物体側レンズ成分と像側レンズ成分の２つのレンズ成分からなり、その中一方のレンズ成分は正レンズと負レンズの接合レンズ成分、他方のレンズ成分は正の単レンズのみからなり、
前記物体側のレンズ成分が以下の条件を満足することを特徴とするズームレンズ。
（１）    ０．６＜Ｒ2FR ／Ｒ2FF ＜１．０５
ただし、Ｒ2FF 、Ｒ2FR はそれぞれ第２レンズ群の物体側レンズ成分の物体側面及び像側面における光軸上の曲率半径である。
【請求項２】
前記物体側レンズ成分は接合レンズ成分からなり、前記像側レンズ成分は正の単レンズのみからなり、以下の条件を満足することを特徴とする請求項１記載のズームレンズ。
（５）    −１．０＜（Ｒ2RF ＋Ｒ2RR ）／（Ｒ2RF −Ｒ2RR ）＜０．６
ただし、Ｒ2RF 、Ｒ2RR はそれぞれ第２レンズ群の像側レンズ成分の物体側の面、像側の面の光軸上での曲率半径である。
【請求項３】
以下の条件を満足することを特徴とする請求項１又は２記載のズームレンズ。
（６）    ５＜（Ｒ2FF ＋Ｒ2FR ）／（Ｒ2FF −Ｒ2FR ）＜６０
ただし、Ｒ2FF 、Ｒ2FR はそれぞれ第２レンズ群の物体側レンズ成分の最も物体側の面、最も像側の面の光軸上での曲率半径である。
【請求項４】
以下の条件を満足することを特徴とする請求項１から３の何れか１項記載のズームレンズ。
（７）    ０．１５＜ｆ2R  ／ｆ30＜１．０
（８）    ０．０３＜ｄ2FR ×Ｒ2FR ／ｔ2 2 ＜１．５
ただし、ｆ2R  とｆ30はそれぞれ第２レンズ群の像側レンズ成分と第３レンズ群の焦点距離、ｄ2FR は第２レンズ群の物体側レンズ成分の像側面と像側レンズ成分の物体側面との間隔、Ｒ2FR は第２レンズ群の物体側レンズ成分の像側面の光軸上での曲率半径、ｔ2 は第２レンズ群の最も物体側の面から最も像側の面までの光軸上での距離である。
【請求項５】
以下の条件を満足することを特徴とする請求項１から４の何れか１項記載のズームレンズ。
（８）    ０．２＜Ｒ2FC ／ｆ2F＜２
ただし、Ｒ2FC は第２レンズ群の物体側レンズ成分の接合面の曲率半径、ｆ2Fは第２レンズ群の物体側レンズ成分の焦点距離である。
【請求項６】
前記第２レンズ群の物体側レンズ成分が前記接合レンズ成分で構成され、広角端から望遠端に変倍する際、前記第３レンズ群は像側に凸の軌跡で動くことを特徴とする請求項１から５の何れか１項記載のズームレンズ。
【請求項７】
前記第３レンズ群を移動することによりフォーカシングを行うことを特徴とする請求項１から６の何れか１項記載のズームレンズ。
【請求項８】
前記第２レンズ群と一体で移動する絞りを有することを特徴とする請求項１から７の何れか１項記載のズームレンズ。
【請求項９】
前記第２レンズ群の最も物体側のレンズ面は、非球面であることを特徴とする請求項１から８の何れか１項記載のズームレンズ。
【請求項１０】
条件（５）に代えて以下の条件（５）’を満足することを特徴とする請求項２記載のズームレンズ。
（５）’  −０．７＜（Ｒ2RF ＋Ｒ2RR ）／（Ｒ2RF −Ｒ2RR ）＜０．３４
【請求項１１】
前記第１レンズ群は非球面を１面のみ有し、前記第２レンズ群は非球面を１面のみ有し、前記第３レンズ群は球面レンズのみからなることを特徴とする請求項１から１０の何れか１項記載のズームレンズ。
【請求項１２】
条件（６）に代えて以下の条件（６）’を満足することを特徴とする請求項３記載のズームレンズ。
（６）’  ７＜（Ｒ2FF ＋Ｒ2FR ）／（Ｒ2FF −Ｒ2FR ）＜６０
【請求項１３】
条件（７）に代えて以下の条件（７）’を満足することを特徴とする請求項４記載のズームレンズ。
（７）’  ０．１５＜ｆ2R  ／ｆ30＜１．０
【請求項１４】
条件（８）に代えて以下の条件（８）’を満足することを特徴とする請求項４記載のズームレンズ。
（８）’  ０．０５＜ｄ2FR ×Ｒ2FR ／ｔ2 2 ＜０．３
【請求項１５】
条件（９）に代えて以下の条件（９）’を満足することを特徴とする請求項５記載のズームレンズ。
（９）’  ０．３＜Ｒ2FC ／ｆ2F＜１．６
【請求項１６】
以下の条件（ａ）を満足することを特徴とする請求項１から１５の何れか１項記載のズームレンズ。
（ａ）    ０．０＜ｆ2 ／ｆ2R＜１．３
ただし、ｆ2 は第２レンズ群全体の合成焦点距離、ｆ2Rは第２レンズ群の像側レンズ成分の焦点距離である。
【請求項１７】
前記第２レンズ群の物体側レンズ成分が前記接合レンズ成分で構成され、その接合レンズ成分は、物体側から、正レンズ、負レンズの順で構成されており、以下の条件（ｂ）を満足することを特徴とする請求項１から１６の何れか１項記載のズームレンズ。
（ｂ）    ０．０４＜ｔ2N／ｔ2 ＜０．２
ただし、ｔ2Nは第２レンズ群の物体側レンズ成分の接合された正レンズの像側の面から負レンズの像側の面までの光軸上の距離、ｔ2 は第２レンズ群の最も物体側の面から最も像側の面までの光軸上での距離である。
【請求項１８】
ズーム比が２．３倍以上であり、以下の条件（ｄ）、（ｅ）を満足することを特徴とする請求項１から１７の何れか１項記載のズームレンズ。
（ｄ）    １．２＜−β2t＜２．０
（ｅ）    １．６＜ｆ2 ／ｆW ＜３．０
ただし、β2tは第２レンズ群の無限遠物点合焦時の望遠端における倍率、ｆ2 は第２レンズ群の焦点距離、ｆW はズームレンズ全系の無限遠物点合焦時の広角端における焦点距離である。
【請求項１９】
前記第１レンズ群が、物体側から順に、２枚以下の負レンズで構成される負レンズ群と１枚の正屈折力の単レンズからなる正レンズ群よりなり、前記負レンズ群は非球面を含むことを特徴とする請求項１から１８の何れか１項記載のズームレンズ又は撮像装置。
【請求項２０】
前記第１レンズ群が以下の条件（ｆ）、（ｇ）を満足することを特徴とする請求項１８記載のズームレンズ。
（ｆ）    −０．０３＜ｆW ／Ｒ11＜０．４
（ｇ）    ０．１５＜ｄNP／ｆW ＜１．０
ただし、Ｒ11は第１レンズ群の物体側から１番目のレンズ面の光軸上での曲率半径、ｄNPは第１レンズの負レンズ群と正レンズ群の光軸上での空気間隔、ｆW はズームレンズ全系の無限遠物点合焦時の広角端における焦点距離である。
【請求項２１】
前記第１レンズ群が、物体側から順に、物体側に凸面を向けた２枚の負メニスカスレンズと１枚の正屈折力の単レンズからなり、該２枚の負メニスカスレンズの空気間隔に面した何れか一方の面が非球面であることを特徴とする請求項１から１８の何れか１項記載のズームレンズ。
【請求項２２】
前記第１レンズ群が以下の条件（ｈ）、（ｉ）を満足することを特徴とする請求項２１記載のズームレンズ。
（ｈ）    ０．４＜Ｒ12／Ｒ13＜１．３
（ｉ）    ０．０２＜ｄNN／ｆW ＜０．２５
ただし、Ｒ12は第１レンズ群の物体側の負メニスカスレンズの像側のレンズ面の光軸上での曲率半径、Ｒ13は第１レンズ群の物体側から２番目の負メニスカスレンズの物体側のレンズ面の光軸上での曲率半径、ｄNNは２枚の負メニスカスレンズの空気間隔の光軸に沿った量、ｆW はズームレンズ全系の無限遠物点合焦時の広角端における焦点距離である。
【請求項２３】
前記第１レンズ群が、物体側から順に、物体側に凸面を向けた１枚の負メニスカスレンズと１枚の正屈折力の単レンズからなり、以下の条件（ｊ）、（ｋ）を満足することを特徴とする請求項１から１８の何れか１項記載のズームレンズ。
（ｊ）    −５．０＜（Ｒ1P1 ＋Ｒ1P2 ）／（Ｒ1P1 −Ｒ1P2 ）＜−１．３
（ｋ）    １．７＜ｎd1N ＜１．９５
ただし、Ｒ1P1 とＲ1P2 はそれぞれ第１レンズ群の正屈折力の単レンズの物体側と像側のレンズ面の光軸上での曲率半径、ｎd1N は第１レンズ群の負メニスカスレンズの媒質の屈折率である。
【請求項２４】
前記第１レンズ群が、物体側から順に、以下の条件（ｌ）を満足する弱い屈折力の単レンズと、１枚の負の単レンズと、１枚の正の単レンズからなることを特徴とする請求項１から１８の何れか１項記載のズームレンズ。
（ｌ）    −０．２＜ｆW ／ｆ1*＜０．３
ただし、ｆ1*は第１レンズ群の弱い屈折力の単レンズの焦点距離、ｆW はズームレンズ全系の無限遠物点合焦時の広角端における焦点距離である。
【請求項２５】
前記第３レンズ群が以下の条件（ｍ）を満足する形状の正の単レンズのみで構成され、かつ、前記正の単レンズは両面が球面であることを特徴とする請求項１から２４の何れか１項記載のズームレンズ。
（ｍ）    −１＜（Ｒ31＋Ｒ32）／（Ｒ31−Ｒ32）＜１
ただし、Ｒ31とＲ32はそれぞれ第３レンズ群の正の単レンズの物体側と像側のレンズ面の光軸上での曲率半径である。
【請求項２６】
請求項１から２５の何れか１項記載のズームレンズと、その像側に配された撮像素子とを有することを特徴とする電子撮像装置。
【請求項２７】
前記ズームレンズが以下の条件（ｃ）を満足することを特徴とする請求項２６記載の電子撮像装置。
（ｃ）    ０．５＜ｔ2 ／Ｌ＜１．２
ただし、ｔ2 は第２レンズ群の最も物体側の面から最も像側の面までの光軸上での距離、Ｌは撮像素子の有効撮像領域の対角長である。
【請求項２８】
前記ズームレンズが以下の条件（ｎ）、（ｏ）を満足することを特徴とする請求項２６又は２７記載の電子撮像装置。
（ｎ）    ０．５＜ｔ2 ／ｔ1 ＜１．５
（ｏ）    ０．４＜ｔ1 ／Ｌ＜１．３
ただし、ｔ1 は第１レンズ群の最も物体側のレンズ面から最も像側のレンズ面までの光軸上での距離、ｔ2 は第２レンズ群の最も物体側の面から最も像側の面までの光軸上での距離距離、Ｌは撮像素子の有効撮像領域の対角長である。
【請求項２９】
前記ズームレンズにおける前記第２レンズ群の物体側レンズ成分が前記接合レンズ成分で構成され、以下の条件を満足することを特徴とする請求項２６から２８の何れか１項記載の電子撮像装置。
（２）    ０＜Ｌ／Ｒ2FC ＜０．８
（３）    ０．０１＜ｎ2FN −ｎ2FP ＜０．２
（４）    ν2FN ＜２６．５
ただし、Ｌは撮像素子の有効撮像領域（略矩形）の対角長、Ｒ2FC は第２レンズ群の物体側成分の接合面の光軸上の曲率半径、ｎ2FP 、ｎ2FN はそれぞれ第２レンズ群の物体側レンズ成分の正レンズ、負レンズのｄ線屈折率、ν2FN は第２レンズ群の物体側レンズ成分における負レンズのｄ線基準アッベ数である。